(57)【要約】      （修正有）【課題】義歯の洗浄及び消毒を行う義歯洗浄機に関し、義歯の知識のない者でも容易かつ清潔にさらに負担を軽減して義歯洗浄を行うことができる義歯洗浄機をする。【解決手段】底部にリング台、下面に超音波装置を取付けた２つの洗浄槽３ｃを埋設し蛇口３を備えた洗浄部２ａと網を取付けた排水口４ｃを埋設し蛇口４を備え前記洗浄部２ａの左側に仕切板２ｍを挟んで設置された消毒部２ｂと前記蛇口３に接続された洗浄液タンク６ａと前記蛇口に接続された消毒液タンクを設置するタンク設置部２ｃからなる洗浄台２と洗浄台の下面四隅に垂設された左右前後脚と、複数の凹部を形成し前記左前後脚の中間部同士を連結するように取り付けられた左レールと前記右前後脚の中間部同士を連結するように取り付けられた右レールにスライド可能に取り付けられたスライド板７と、前記洗浄槽に設置して義歯を洗浄する専用カップ９とからなることを特徴とする。【選択図】図１
2007244787.tif 000002
【特許請求の範囲】
【請求項１】
底部にリング台を備え下面に超音波装置を取り付けた２つの洗浄槽を埋設し各洗浄槽に対応する蛇口を備えた洗浄部と、網を取り付けた排水口を埋設し排水口に対応する蛇口を備え前記洗浄部の左側に仕切板を挟んで設置された消毒部と、前記蛇口に接続された洗浄液タンクと前記蛇口に接続された消毒液タンクを設置するタンク設置部からなる洗浄台と、洗浄台の下面４隅に垂設された左右前後脚と、複数の凹部を形成し前記左前後脚の中間部同士を連結するように取り付けられた左レールと前記右前後脚の中間部同士を連結するように取り付けられた右レールにスライド可能に取り付けられたスライド板と、前記洗浄槽に設置して義歯を洗浄する専用カップとからなることを特徴とする義歯洗浄機。
【請求項２】
底面にリング台を設置し下面に超音波装置を取り付けた洗浄槽と洗浄槽の上方に取り付けられた蛇口からなる洗浄部と、前記蛇口に接続された洗浄液タンクを設置するタンク設置部からなる洗浄台と、前記タンク設置部に設置する側面に目盛りが付された洗浄液タンクとからなることを特徴とする義歯洗浄機。
【請求項３】
孔を穿設したスライド筒とスライド筒の下部に取り付けられたスプリングとスライド筒の上部に取り付けた押しボタンからなる蛇口制御装置を蛇口に取り付けたことを特徴とする請求項１又は請求項２に記載の義歯洗浄機。
【請求項４】
蛇口にドレーンコックを取り付けたことを特徴とする請求項１乃至請求項３に記載の義歯洗浄機。
【請求項５】
スイッチピンに連動するスイッチボタンを備えたマイクロスイッチと、マイクロスイッチに接続されたタイマーを備え、コイン投入口を設けた制御部と、制御部に投入されたコインを貯めるコイン蓄積部からなる制御装置を備えたことを特徴する請求項１乃至請求項４に記載の義歯洗浄機。
【請求項６】
下面に複数の突起を設けたことを特徴とする請求項１乃至請求項５に記載の義歯洗浄機で使用する専用カップ。
【発明の詳細な説明】
【技術分野】
【０００１】
本発明は、義歯洗浄機に関する発明である。
【背景技術】
【０００２】
従来、義歯の洗浄は義歯を使用している本人が歯ブラシ等で磨いていたり、在宅または介護施設の介護者が義歯の使用者に代わって義歯を掃除していた。また、市販の洗浄薬を使用して漬け置く洗浄を行っていた。
【特許文献１】特開２００３−１３５４９２号公報
【０００３】
しかしながら、従来の歯ブラシ等による洗浄方法では、義歯を使用している本人は勿論のこと、介護者であっても正しく綺麗に義歯を洗浄することができず、義歯を使用している者の口腔内は十分な衛生が保たれていなかった。
【０００４】
また、市販の洗浄薬では洗浄液に義歯を漬けておくだけであるため、隅々まで洗浄することはできず、依然、義歯使用者の口腔内は十分な衛生が保たれなかった。
【０００５】
また、入居者の多い介護の現場などでは、義歯の洗浄に時間がかかり介護者に負担がかかっていた。
【発明の開示】
【発明が解決しようとする課題】
【０００６】
そこで、本発明は、義歯の知識のない者であっても容易に義歯洗浄を行うことができ、従来とは比較にならないほど清潔に義歯を洗浄することができ、介護者や義歯使用者本人の負担を大幅に軽減することができる義歯洗浄機を提供することを目的とするものである。
【課題を解決するための手段】
【０００７】
本発明は、上記の課題を解決するために、底部にリング台３ｅを備え下面に超音波装置３ｇを取り付けた２つの洗浄槽３ｃ、３ｃを埋設し各洗浄槽３ｃ、３ｃに対応する蛇口３、３を備えた洗浄部２ａと、網４ｄを取り付けた排水口４ｃを埋設し排水口４ｃに対応する蛇口４を備え前記洗浄部２ａの左側に仕切板２ｍを挟んで設置された消毒部２ｂと、前記蛇口３に接続された洗浄液タンク６ａと、前記蛇口４に接続された消毒液タンク５ａを設置するタンク設置部２ｃからなる洗浄台２と、洗浄台２の下面四隅に垂設された左右前後脚２ｅ、２ｆ、２ｇ、２ｈと、複数の凹部７ａを形成し前記左前後脚２ｅ、２ｇの中間部同士を連結するように取り付けられた左レール７ｃと前記右前後脚２ｆ、２ｈの中間部同士を連結するように取り付けられた右レール７ｄにスライド可能に取り付けられたスライド板７と、前記洗浄槽３ｃに設置して義歯を洗浄する専用カップ９とからなることを特徴とする義歯洗浄機１の構成、  底面にリング台２３ａを設置し下面に超音波装置２３ｂを取り付けた洗浄槽２３と、洗浄槽２３の上方に取り付けられた蛇口２２からなる洗浄部２１ａと、前記蛇口２２に接続された洗浄液タンク２４を設置するタンク設置部２１ｂからなる洗浄台２１と、前記タンク設置部２１ｂに設置する側面に目盛り２４ａが付された洗浄液タンク２４とからなることを特徴とする義歯洗浄機１ａの構成、孔２５ｄを穿設したスライド筒２５ｂとスライド筒２５ｂの下部に取り付けられたスプリング２５ｃとスライド筒２５ｂの上部に取り付けた押しボタン２５ａからなる蛇口制御装置２５を蛇口３、４に取り付けたことを特徴とする義歯洗浄機１ｂの構成、蛇口３、４にドレーンコック２６を取り付けたことを特徴とする義歯洗浄機１ｃの構成、スイッチピン２７ｅに連動するスイッチボタン２７ｄを備えたマイクロスイッチ２７ｃと、マイクロスイッチ２７ｃに接続されたタイマー２７ｇを備え、コイン投入口２７ｆを設けた制御部２７ａと、制御部２７ａに投入されたコインを貯めるコイン蓄積部２７ｂからなる制御装置を備えたことを特徴する義歯洗浄機１ｄの構成及び下面に複数の突起９ｇを設けた義歯洗浄機１、１ａ、１ｂ、１ｃ、１ｄで使用することを特徴とする専用カップ９の構成とした。
【発明の効果】
【０００８】
本発明の義歯洗浄機は、義歯に関する知識のない者でも簡単に短時間で義歯の洗浄を行うことができ、義歯使用者は常に口腔内を衛生的に保つことができる。
【０００９】
また、利用者の多い施設、病院、介護現場等では沢山の義歯を短時間で洗浄消毒を行うことができるため、介護者の労力を軽減することができる。
【００１０】
更に、それぞれの義歯に対して専用のカップを使用するため集団生活による感染を予防することができ、超音波で隅々まで洗浄するため清潔で誤飲性肺炎等を予防することもできる。
【発明を実施するための最良の形態】
【００１１】
義歯を洗浄する者の負担を抑え、義歯の知識がない者であっても簡単に短時間で洗浄及び消毒をすることができ、更に衛生的なため感染症や誤飲性肺炎等を予防することができる義歯洗浄機という目的を、超音波による洗浄及び消毒機能を一体とすることで実現した。
【実施例１】
【００１２】
図１は本発明である義歯洗浄機の斜視図である。図１に示すように、本発明である義歯洗浄機１は、底部にリング台３ｅを備え下面に超音波装置３ｇを取り付けた２つの洗浄槽３ｃ、３ｃを埋設し各洗浄槽３ｃ、３ｃに対応する蛇口３、３を備えた洗浄部２ａと網４ｄを取り付けた排水口４ｃを埋設し排水口４ｃに対応する蛇口４を備え前記洗浄部２ａの左側に仕切板２ｍを挟んで設置された消毒部２ｂと前記蛇口３に接続された洗浄液タンク６ａと前記蛇口４に接続された消毒液タンク５ａを設置するタンク設置部２ｃからなる洗浄台２と洗浄台２の下面四隅に垂設された左右前後脚２ｅ、２ｆ、２ｇ、２ｈと、複数の凹部７ａを形成し前記左前後脚２ｅ、２ｇの中間部同士を連結するように取り付けられた左レール７ｃと前記右前後脚２ｆ、２ｈの中間部同士を連結するように取り付けられた右レール７ｄにスライド可能に取り付けられたスライド板７と、前記洗浄槽３ｃに設置して義歯を洗浄する専用カップ９とからなる。
【００１３】
前記洗浄部２ａには２つの洗浄槽３ｃ、３ｃが設置されており、各洗浄槽３ｃ、３ｃの上部に蛇口３、３が設置されている。各蛇口３、３は洗浄液タンク６ａに接続されており洗浄液を注ぐことができる。また各蛇口３、３は制御板３ｂで制御されておりスイッチ３ａを押すことで一定の時間洗浄液を流すことができる。
【００１４】
前記洗浄槽３ｃの下面には超音波装置３ｇが取り付けられており、洗浄スイッチ３ｄを押すことで一定の時間超音波装置３ｇが作動し、洗浄槽３ｃ内に超音波を流すことができる。
【００１５】
前記消毒部２ｂには網４ｄを張った排水口４ｃが設置されており、排水口４ｃの上部に蛇口４が設置されている。蛇口４は消毒液タンク５ａに接続されており消毒液を注ぐことができる。また蛇口４は制御板４ｂで制御されておりスイッチ４ａを押すことで一定時間消毒液を流すことができる。
【００１６】
排水口４ｃには配水管４ｎが接続されており、配水管４ｎの先端は廃液タンク８の孔８ａに接続されている。排水口４ｃに捨てられた排水が配水管４ｎを通り廃液タンク８に溜められる構造となっている。
【００１７】
前記タンク設置部２ｃに設置されている消毒液タンク５ａには目盛り５ｂが付されており、消毒液タンク５ａ内の消毒液の残量を一目で知ることができる。残量が少なくなった場合は、キャップ５ｃを外し消毒液を足せばよい。消毒液タンク５ａは消毒液タンクカバー５に覆われ保護されている。
【００１８】
同じく前記タンク設置部２ｃに設置されている洗浄液タンク６ａには目盛り６ｂが付されており、洗浄液タンク６ａ内の洗浄液の残量を一目で知ることができる。残量が少なくなった場合は、キャップ６ｃを外し洗浄液を足せばよい。洗浄液タンク６ａは洗浄液タンクカバー６に覆われ保護されている。
【００１９】
前述のように洗浄台２の底面の四隅には左右前脚２ｅ、２ｆ及び左右後脚２ｇ、２ｈが垂設されており、各脚２ｅ、２ｆ、２ｇ、２ｈの下端にはキャスター２ｉが取り付けられている。尚、符号２ｌは外板であり、符号２ｎは配水管である。
【００２０】
前記左前後脚２ｅ、２ｇの中間部同士は左レール７ｃにより連結されており、また右前後脚２ｆ、２ｈの中間部同士も右レール７ｄにより連結されている。左右レール７ｃ、７ｄの取り付け位置は同じ高さであり、互いに平行になるように取り付けられている。
【００２１】
図１に示すように、左右レール７ｃ、７ｄにはスライド板７が取り付けられており、スライド板７に取り付けた取っ手７ｂを掴み手前に引くことでスライド板７を引き出すことができる。
【００２２】
スライド板７の上面には複数の円形の凹部７ａ、７ａ、７ａ・・・が形成されており、この凹部７ａの径は専用カップ９の径とほぼ同じである。即ち、専用カップ９を各凹部７ａに嵌め込んだ状態で置くことで専用カップ９が勝手に倒れたり、スライド板７を押し引きする振動で倒れたりすることがない。尚、スライド板７及び左右レール７ｃ、７ｄで構成される部分を特に保存部２ｄとした。
【００２３】
また洗浄台２には電力を得るためコンセント２ｋが取り付けられており、正面には主電源２ｊを備えた。主電源２ｊを入れることで各蛇口３、４のスイッチ３ａ、４ａ及び洗浄スイッチ３ｄを操作することができる。
【００２４】
図２は本発明である義歯洗浄機の洗浄部と専用カップの拡大斜視図である。図２に示すように、本発明である義歯洗浄機１で使用する専用カップ９は取っ手９ｄが取り付けられており、また、上部には開閉可能な蓋９ａが蝶番９ｆを介して取り付けられている。
【００２５】
前記蓋９ａには孔９ｂが穿設されており、この孔９ｂから洗浄液や消毒液の注入及び排出をすることができる。また、専用カップ９の壁面には目盛り９ｃが付されており洗浄液、消毒液、水などを注ぐ際の目安となる。尚、専用カップ９は強化ガラス製が好ましいが他の材料であっても良いものとする。
【００２６】
更に専用カップ９にはネームプレート９ｅを設け、施設など一度に多くの人の義歯を洗浄する所で気をつけなければならない取り違えを防ぐことができる。
【００２７】
専用カップ９を設置する洗浄槽３ｃの底面中央にはリング台３ｅが取り付けられており、また専用カップ９の下面中央には超音波装置３ｇが設置されている。尚、いつでも使用できるよう洗浄槽３ｃ内は常に水３ｆを張った状態にするのが望ましい。
【００２８】
図３は本発明である義歯洗浄機の洗浄部の拡大平面図である。図３に示すように、洗浄槽３ｃの下面に取り付けられる超音波装置３ｇは、洗浄槽３ｃの底面に設置されたリング台３ｅの更に中央に位置するように取り付けられており、リング台３ｅと重ならないようになっている。これは、超音波装置３ｇから発する超音波を最も効果的に当てるためである。
【００２９】
図４は本発明である義歯洗浄機の洗浄部の断面図である。図４に示すように、義歯１１及び水で薄めた洗浄液１０を入れた専用カップ９を水３ｆを張った洗浄槽３ｃにセットし超音波を当てる。このとき、専用カップ９はリング台３ｅ上に設置され、専用カップ９と超音波装置３ｇが設置されている位置の洗濯槽３ｃの底面との間には隙間が存在する。この隙間には当然に水３ｆが存在し、超音波が効果的に専用カップ９内に伝わる。
【００３０】
図５は本発明である義歯洗浄機の流れ図である。義歯洗浄機１を使用した義歯洗浄の流れは、「洗浄槽に水を張る」１２→「専用カップに義歯を入れる」１３→「専用カップに定量の水を注ぐ」１４→「洗浄槽に専用カップを設置する」１５→「専用カップに定量の洗浄液を注ぐ」１６→「超音波をあてる」１７→「専用カップ内の液体を捨てる」１８→「専用カップに消毒液を注ぐ」１９→「義歯を消毒液に浸け置く」２０である。
【００３１】
前記「専用カップに定量の水を注ぐ」１４では、専用カップ９に目盛り９ｃが付されているため、それを目安に水を注ぎ、「専用カップに定量の洗浄液を注ぐ」１６及び「専用カップに消毒液を注ぐ」１９では各液体の蛇口３、４の制御板３ｂ、４ｂが作動するため自動的に定量を注ぐことができる。
【００３２】
「義歯を消毒液に浸け置く」２０では、通常就寝前に義歯を洗浄すると考えられるため、ここでは就寝前に消毒液に浸け始めて翌朝まで浸け置く程度の時間の長さとしている。但し、義歯をより綺麗な状態で使用できるために前述の時間を想定しているが、洗浄終了の段階で義歯を使用しても差し支えなく、また、消毒液に浸け置く時間を短くしても義歯の使用には問題がない。
【実施例２】
【００３３】
図６は、本発明である義歯洗浄機の第２実施例の斜視図である。本発明である義歯洗浄機１ａは、底面にリング台２３ａを設置し下面に超音波装置２３ｂを取り付けた洗浄槽２３と洗浄槽２３の上方に取り付けられた蛇口２２からなる洗浄部２１ａと、前記蛇口２２に接続された洗浄液タンク２４を設置するタンク設置部２１ｂからなる洗浄台２１と、前記タンク設置部２１ｂに設置する側面に目盛り２４ａが付された洗浄液タンク２４とからなる。
【００３４】
洗浄部２１ａの正面部には主電源２１ｃが設けられており、この主電源２１ｃが義歯洗浄機１ａ全体のスイッチとなる。また、同じく洗浄部２１ａの正面部には洗浄スイッチ２３ｃが設けられており、この洗浄スイッチ２３ｃを入れることで洗浄槽２３の下面に取り付けられた超音波装置２３ｂが作動し洗浄槽２３内に超音波を当てることができる。
【００３５】
前記蛇口２２にはスイッチ２２ａが取り付けられており、このスイッチ２２ａを押すことで洗浄液タンク２４の洗浄液２４ｂを注ぐことができる。また、蛇口２２には制御板２２ｂが接続されており、この制御板２２ｂにより前記スイッチ２２ａを押したときに出る洗浄液２４ｂの量を一定量に決めることができる。尚、洗浄台２１の右側面にはコンセント２１ｄが取り付けられている。
【実施例３】
【００３６】
図７は本発明である義歯洗浄機で第３実施例の斜視図、図８は義歯洗浄機の第３実施例の一部断面図である。図７及び図８に示すように、本発明である義歯洗浄機１ｂは、実施例１で説明した義歯洗浄機１とほぼ同じ構造をしている。即ち、蛇口３、４に蛇口制御装置２５を取り付けたものである。
【００３７】
蛇口制御装置２５は、蛇口３、４に直接取り付けるもので、孔２５ｄを穿設したスライド筒２５ｂとスライド筒２５ｂの下部に取り付けられたスプリング２５ｃとスライド筒２５ｂの上部に取り付けた押しボタン２５ａからなり、図８に示すように、押しボタン２５ａを下方に向かって押し、孔２５ｄと蛇口３（４）の位置が一致している状態で洗浄液を注ぐことができる。
【００３８】
蛇口制御装置２５を使用した義歯洗浄機１ｂでは洗浄液及び消毒液が自動で止まることがないため、専用カップ９の目盛り９ｃを利用して必要量を注ぐこととなる。
【実施例４】
【００３９】
図９は、本発明である義歯洗浄機の第４実施例の斜視図である。本発明である義歯洗浄機１ｃは、前記義歯洗浄機１、１ｂとほぼ同じ構造をしている。即ち、蛇口３、４にドレーンコック２６を取付け、ドレーンコック２６を開閉することで洗浄液又は消毒液を注ぐことができる。
【００４０】
義歯洗浄機１ｃの場合も、洗浄液及び消毒液が自動で止まることがないため、専用カップ９の目盛り９ｃを利用して必要量を注ぐこととなる。
【実施例５】
【００４１】
図１０は、本発明である義歯洗浄機の第５実施例の正面図である。本発明である義歯洗浄機１ｄは、実施例１の義歯洗浄機１に制御装置２７を取り付けたものである。但しこの制御装置２７は義歯洗浄機１ａ、１ｂ、１ｃに取り付けることも可能である。
【００４２】
前記制御装置２７は、スイッチピン２７ｅに連動するスイッチボタン２７ｄを備えたマイクロスイッチ２７ｃと、マイクロスイッチ２７ｃに接続されたタイマー２７ｇを備え、コイン投入口２７ｆを設けた制御部２７ａと、制御部２７ａに投入されたコイン２８を貯めるコイン蓄積部２７ｂからなる。尚、タイマー２７ｇは主電源２ｊにも接続されている。
【００４３】
コイン２８をコイン投入口２７ｆに投入する際、コイン２８はスイッチピン２７ｅを上方に押上ながら投入される。このとき、上方に押し上げられたスイッチピン２７ｅはスイッチボタン２７ｄを押上げマイクロスイッチ２７ｃの電源が入る。
【００４４】
マイクロスイッチ２７ｃの電源が入るとマイクロスイッチ２７ｃに接続されているタイマー２７ｇが作動し、タイマー２７ｇで定めた時間の間だけ主電源２ｊが入る仕組みとなっている。タイマー２７ｇの設定時間は義歯を洗浄するために必要な時間となっている。
【００４５】
このように、コイン２８を投入して義歯洗浄機を使用することができる構造であるためレストランやデパート等の洗面所に設置することができる。
【実施例６】
【００４６】
図１１は、本発明である義歯洗浄機で使用する専用カップの拡大図である。図１１に示した専用カップ９は下面に複数の突起９ｇを設けたもので、洗浄槽３ｃの底面にリング台３ｅがない場合に専用カップ９の底面と洗浄槽３ｃの底面の間に空間を設けることができ効果的に超音波を当てることができる。
【図面の簡単な説明】
【００４７】
【図１】本発明である義歯洗浄機の斜視図である。
【図２】本発明である義歯洗浄機の洗浄部と専用カップの拡大斜視図である。
【図３】本発明である義歯洗浄機の洗浄部の拡大平面図である。
【図４】本発明である義歯洗浄機の洗浄部の断面図である。
【図５】本発明である義歯洗浄機の流れ図である。
【図６】本発明である義歯洗浄機の第２実施例の斜視図である。
【図７】本発明である義歯洗浄機で第３実施例の斜視図である。
【図８】本発明である義歯洗浄機の第３実施例の一部断面図である。
【図９】本発明である義歯洗浄機の第４実施例の斜視図である。
【図１０】本発明である義歯洗浄機の第５実施例の正面図である。
【図１１】本発明である義歯洗浄機で使用する専用カップの拡大図である。
【符号の説明】
【００４８】
１      義歯洗浄機
１ａ    義歯洗浄機
１ｂ    義歯洗浄機
１ｃ    義歯洗浄機
１ｄ    義歯洗浄機
２      洗浄台
２ａ    洗浄部
２ｂ    消毒部
２ｃ    タンク設置部
２ｄ    保存部
２ｅ    左前脚
２ｆ    右前脚
２ｇ    左後脚
２ｈ    右後脚
２ｉ    キャスター
２ｊ    主電源
２ｋ    コンセント
２ｌ    外板
２ｍ    仕切板
２ｎ    配水管
３      蛇口
３ａ    スイッチ
３ｂ    制御板
３ｃ    洗浄槽
３ｄ    洗浄スイッチ
３ｅ    リング台
３ｆ    水
３ｇ    超音波装置
４      蛇口
４ａ    スイッチ
４ｂ    制御板
４ｃ    排水口
４ｄ    網
５      消毒液タンクカバー
５ａ    消毒液タンク
５ｂ    目盛り
５ｃ    キャップ
６      洗浄液タンクカバー
６ａ    洗浄液タンク
６ｂ    目盛り
６ｃ    キャップ
７      スライド板
７ａ    凹部
７ｂ    取っ手
７ｃ    左レール
７ｄ    右レール
８      廃液タンク
８ａ    孔
９      専用カップ
９ａ    蓋
９ｂ    孔
９ｃ    目盛り
９ｄ    取っ手
９ｅ    ネームプレート
９ｆ    蝶番
９ｇ    突起
１０      洗浄液
１１      義歯
１２      洗浄槽に水を張る
１３      専用カップに義歯を入れる
１４      専用カップに定量の水を注ぐ
１５      洗浄槽に専用カップを設置する
１６      専用カップに定量の洗浄液を注ぐ
１７      超音波をあてる
１８      専用カップ内の液体を捨てる
１９      専用カップに消毒液を注ぐ
２０      義歯を消毒液に浸け置く
２１      洗浄台
２１ａ    洗浄部
２１ｂ    タンク設置部
２１ｃ    主電源
２１ｄ    コンセント
２２      蛇口
２２ａ    スイッチ
２２ｂ    制御板
２３      洗浄槽
２３ａ    リング台
２３ｂ    超音波装置
２３ｃ    洗浄スイッチ
２４      洗浄液タンク
２４ａ    目盛り
２４ｂ    洗浄液
２５      蛇口制御装置
２５ａ    押しボタン
２５ｂ    スライド筒
２５ｃ    スプリング
２５ｄ    孔
２６      ドレーンコック
２７      制御装置
２７ａ    制御部
２７ｂ    コイン蓄積部
２７ｃ    マイクロスイッチ
２７ｄ    スイッチボタン
２７ｅ    スイッチピン
２７ｆ    コイン投入口
２７ｇ    タイマー
２８      コイン
【図１】
2007244787.tif 000003
【図２】
2007244787.tif 000004
【図３】
2007244787.tif 000005
【図４】
2007244787.tif 000006
【図５】
2007244787.tif 000007
【図６】
2007244787.tif 000008
【図７】
2007244787.tif 000009
【図８】
2007244787.tif 000010
【図９】
2007244787.tif 000011
【図１０】
2007244787.tif 000012
【図１１】
2007244787.tif 000013